(57)【要約】【課題】表示装置に官公庁が発する情報と広告主が発する情報とを表示する際の優先順位を調整できるようにする。【解決手段】表示装置１は、情報を表示する表示部２０と、官公庁が発する複数の官公庁情報の官公庁優先レベルを特定し、かつ広告主が発する複数の民間情報の民間優先レベルを特定する特定部１３１と、官公庁優先レベルと民間優先レベルとに基づいて、官公庁情報及び民間情報を表示する時間帯を決定し、決定した時間帯に官公庁情報及び民間情報を表示部２０に表示させる表示制御部１３２と、を有する。【選択図】図２
2019105815.tif 000002
【特許請求の範囲】
【請求項１】
官公庁が発する複数の官公庁情報の優先レベルを示す官公庁優先レベルを特定し、かつ民間企業が発する複数の民間情報の優先レベルを示す民間優先レベルを特定する特定部と、
前記官公庁優先レベルと前記民間優先レベルとに基づいて、前記官公庁情報及び前記民間情報を表示する時間帯を決定し、決定した時間帯に前記官公庁情報及び前記民間情報を表示装置に表示させる表示制御部と、
を有する表示制御装置。
【請求項２】
前記官公庁情報を表示可能な官公庁用時間帯を決定するための第１情報と、前記民間情報を表示可能な民間用時間帯を決定するための第２情報とを記憶する記憶部をさらに有し、
前記表示制御部は、前記第１情報及び前記第２情報により定められる前記官公庁用時間帯及び前記民間用時間帯と現在時刻との関係、及び前記官公庁優先レベル又は前記民間優先レベルに基づいて、前記官公庁情報及び前記民間情報を表示する時間帯を決定する、
請求項１に記載の表示制御装置。
【請求項３】
前記表示制御部は、前記官公庁用時間帯に表示する前記官公庁情報がないことを条件として、第１優先レベルの前記民間情報を前記官公庁用時間帯に表示させる、
請求項２に記載の表示制御装置。
【請求項４】
前記表示制御部は、前記官公庁優先レベルが所定のレベル以上の前記官公庁情報がない場合に、前記第１優先レベルよりも高い優先レベルである第２優先レベルの前記民間情報を前記民間用時間帯に表示させ、前記官公庁優先レベルが所定のレベル以上の前記官公庁情報がある場合に、当該官公庁情報を前記民間用時間帯に表示させる、
請求項３に記載の表示制御装置。
【請求項５】
前記表示制御部は、前記第２優先レベルよりも高い優先レベルである第３優先レベルの前記民間情報を前記民間用時間帯に表示させている間に、前記官公庁優先レベルが所定のレベル以上の前記官公庁情報がある場合に、前記民間情報と同時に前記官公庁情報を表示させる、
請求項４に記載の表示制御装置。
【請求項６】
前記表示制御部は、前記表示装置の設置位置が含まれる市町村が発する前記官公庁情報を表示する時間を、前記設置位置が含まれる都道府県が発する前記官公庁情報を表示する時間よりも長くする、
請求項１から５のいずれか一項に記載の表示制御装置。
【請求項７】
前記特定部は、前記官公庁情報の種別を示す種別情報に基づいて前記官公庁優先レベルを特定する、
請求項１から６のいずれか一項に記載の表示制御装置。
【請求項８】
前記特定部は、前記官公庁情報が関連する地域と前記表示装置の設置位置との関係に基づいて、前記官公庁情報の官公庁優先レベルを特定する、
請求項１から７のいずれか一項に記載の表示制御装置。
【請求項９】
前記特定部は、前記官公庁情報が示す事象が影響する地域の推移予測結果に基づいて、前記官公庁情報の官公庁優先レベルを特定する、
請求項１から８のいずれか一項に記載の表示制御装置。
【請求項１０】
情報を表示する表示部と、
官公庁が発する複数の官公庁情報の官公庁優先レベルを特定し、かつ広告主が発する複数の民間情報の民間優先レベルを特定する特定部と、
前記官公庁優先レベルと前記民間優先レベルとに基づいて、前記官公庁情報及び前記民間情報を表示する時間帯を決定し、決定した時間帯に前記官公庁情報及び前記民間情報を前記表示部に表示させる表示制御部と、
を有する表示装置。
【請求項１１】
官公庁が発する複数の官公庁情報の官公庁優先レベルを特定するステップと、
広告主が発する複数の民間情報の民間優先レベルを特定するステップと、
前記官公庁優先レベルと前記民間優先レベルとに基づいて、前記官公庁情報及び前記民間情報を表示する時間帯を決定するステップと、
決定した時間帯に前記官公庁情報及び前記民間情報を表示装置に表示させるステップと、
を有する表示制御方法。
【発明の詳細な説明】
【技術分野】
【０００１】
本発明は、情報を表示するための表示制御装置、表示装置及び表示制御方法に関する。
【背景技術】
【０００２】
公共の場所に設置されて、地方官庁や中央官庁等の官公庁が発する情報を歩行者に通知するためのデジタルサイネージ（電子看板）等の表示装置が知られている。特許文献１には、表示するべき情報に優先順位をつける技術が開示されている。
【先行技術文献】
【特許文献】
【０００３】
【特許文献１】特開２０１４−２０２９８４号公報
【発明の概要】
【発明が解決しようとする課題】
【０００４】
従来の表示装置においては、官公庁が発する情報に優先順位をつけたり、広告主が表示することを指示した民間情報に優先順位をつけたりすることができる。そして、従来の表示装置においては、緊急性が高い避難情報は、民間情報よりも優先的に表示することが想定されている。
【０００５】
しかしながら、緊急性が高い避難情報を除いて、官公庁が発する情報と広告主が発する情報との間で、どのようにして優先順位を決定するかが考慮されていなかった。したがって、広告主にとってみると、自身の広告がどの程度の頻度で表示されるかの予測がつかず、広告料を支払って民間情報の表示を依頼するべきかどうかの判断をすることが困難であった。
【０００６】
そこで、本発明はこれらの点に鑑みてなされたものであり、表示装置に官公庁が発する情報と広告主が発する情報とを表示する際の優先順位を調整可能な表示制御装置、表示装置及び表示制御方法を提供することを目的とする。
【課題を解決するための手段】
【０００７】
本発明の第１の態様の表示制御装置は、官公庁が発する複数の官公庁情報の優先レベルを示す官公庁優先レベルを特定し、かつ民間企業が発する複数の民間情報の優先レベルを示す民間優先レベルを特定する特定部と、前記官公庁優先レベルと前記民間優先レベルとに基づいて、前記官公庁情報及び前記民間情報を表示する時間帯を決定し、決定した時間帯に前記官公庁情報及び前記民間情報を表示装置に表示させる表示制御部と、を有する。
【０００８】
表示制御装置は、前記官公庁情報を表示可能な官公庁用時間帯を決定するための第１情報と、前記民間情報を表示可能な民間用時間帯を決定するための第２情報とを記憶する記憶部をさらに有し、前記表示制御部は、前記第１情報及び前記第２情報により定められる前記官公庁用時間帯及び前記民間用時間帯と現在時刻との関係、及び前記官公庁優先レベル又は前記民間優先レベルに基づいて、前記官公庁情報及び前記民間情報を表示する時間帯を決定してもよい。
【０００９】
前記表示制御部は、前記官公庁用時間帯に表示する前記官公庁情報がないことを条件として、第１優先レベルの前記民間情報を前記官公庁用時間帯に表示させてもよい。
【００１０】
前記表示制御部は、前記官公庁優先レベルが所定のレベル以上の前記官公庁情報がない場合に、前記第１優先レベルよりも高い優先レベルである第２優先レベルの前記民間情報を前記民間用時間帯に表示させ、前記官公庁優先レベルが所定のレベル以上の前記官公庁情報がある場合に、当該官公庁情報を前記民間用時間帯に表示させてもよい。
【００１１】
前記表示制御部は、前記第２優先レベルよりも高い優先レベルである第３優先レベルの前記民間情報を前記民間用時間帯に表示させている間に、前記官公庁優先レベルが所定のレベル以上の前記官公庁情報がある場合に、前記民間情報と同時に前記官公庁情報を表示させてもよい。
【００１２】
前記表示制御部は、前記表示装置の設置位置が含まれる市町村が発する前記官公庁情報を表示する時間を、前記設置位置が含まれる都道府県が発する前記官公庁情報を表示する時間よりも長くしてもよい。
【００１３】
前記特定部は、前記官公庁情報の種別を示す種別情報に基づいて前記官公庁優先レベルを特定してもよい。また、前記特定部は、前記官公庁情報が関連する地域と前記表示装置の設置位置との関係に基づいて、前記官公庁情報の官公庁優先レベルを特定してもよい。前記特定部は、前記官公庁情報が示す事象が影響する地域の推移予測結果に基づいて、前記官公庁情報の官公庁優先レベルを特定してもよい。
【００１４】
本発明の第２の態様の表示装置は、情報を表示する表示部と、官公庁が発する複数の官公庁情報の官公庁優先レベルを特定し、かつ広告主が発する複数の民間情報の民間優先レベルを特定する特定部と、前記官公庁優先レベルと前記民間優先レベルとに基づいて、前記官公庁情報及び前記民間情報を表示する時間帯を決定し、決定した時間帯に前記官公庁情報及び前記民間情報を前記表示部に表示させる表示制御部と、を有する。
【００１５】
本発明の第３の態様の表示制御方法は、官公庁が発する複数の官公庁情報の官公庁優先レベルを特定するステップと、広告主が発する複数の民間情報の民間優先レベルを特定するステップと、前記官公庁優先レベルと前記民間優先レベルとに基づいて、前記官公庁情報及び前記民間情報を表示する時間帯を決定するステップと、決定した時間帯に前記官公庁情報及び前記民間情報を表示装置に表示させるステップと、を有する。
【発明の効果】
【００１６】
本発明によれば、表示装置に官公庁が発する情報と広告主が発する情報とを表示する際の優先順位を調整可能にすることができるという効果を奏する。
【図面の簡単な説明】
【００１７】
【図１】表示システムの構成を示す図である。
【図２】表示装置の構成を示す図である。
【図３】官公庁優先レベルと官公庁情報の内容との関係を示す表である。
【図４】民間優先レベルと民間情報の内容との関係を示す表である。
【図５】表示制御部が表示部に表示させる情報の種別を模式的に示す図である。
【図６】表示制御部の動作フローチャートである。
【図７】官公庁情報が関連する地域と表示装置の設置位置との関係に基づいて官公庁情報の優先レベルを特定する動作のフローチャートである。
【図８】官公庁情報に関連する事象が影響する地域に基づいて官公庁情報の優先レベルを特定する動作のフローチャートである。
【発明を実施するための形態】
【００１８】
［表示システムＳの概要］
図１は、表示システムＳの構成を示す図である。表示システムＳは、複数の表示装置１（１−１〜１−ｋ、ｋは４以上の自然数）、複数の官公庁端末２（２−１〜２−ｍ、ｍは３以上の自然数）、複数の民間端末３（３−１〜３−ｎ、ｎは３以上の自然数）、及び情報提供装置４を備える。表示装置１、官公庁端末２、民間端末３及び情報提供装置４は、インターネット等の通信網Ｎに接続されている。情報提供装置４の管理者は、官公庁端末２及び民間端末３から送信された情報を、情報提供装置４を介して表示装置１に配信して表示させる情報表示サービスを提供する。
【００１９】
表示装置１は、デジタルサイネージであり、各種の情報を表示することができるディスプレイ又はプロジェクタである。表示装置１は、駅やロータリー等のように多数の人が視認可能な位置に設置されるが、表示装置１が設置される位置は任意であり、例えばコンビニエンスストアの店頭に設置されてもよい。
【００２０】
官公庁端末２は、中央官庁、都道府県の官庁、及び市町村の官公庁の職員がアクセス可能なコンピュータである。官公庁の職員は、表示装置１により周知させたい官公庁情報を官公庁端末２において作成し、作成した官公庁情報を情報提供装置４に送信する。
【００２１】
民間端末３は、民間企業の職員がアクセス可能なコンピュータである。民間企業の職員は、表示装置１により周知させたい民間情報を民間端末３において作成し、作成した民間情報を情報提供装置４に送信する。民間情報は、例えば商品やサービスを宣伝するための広告情報である。民間企業の職員は、広告制作会社から取得した広告情報を民間端末３において取得し、取得した広告情報を情報提供装置４に送信してもよい。
【００２２】
情報提供装置４は、官公庁端末２から受信した官公庁情報及び民間端末３から受信した民間情報を記憶し、複数の表示装置１に配信するサーバである。情報提供装置４は、例えば、官公庁端末２により官公庁の職員によって指定された官公庁情報の配信範囲、及び民間端末３により民間企業の職員により指定された民間情報の配信範囲に基づいて、配信範囲に含まれている位置に設置されている表示装置１に対して官公庁情報及び民間情報を配信する。
【００２３】
詳細については後述するが、官公庁情報には、情報の内容に基づいて優先レベルが定められている。本明細書において、官公庁情報の優先レベルを官公庁優先レベルという。また、民間情報には、広告主である民間企業と情報提供装置４の管理者との間の契約内容（例えば料金）に基づいて優先レベルが定められている。本明細書において、民間情報の優先レベルを民間優先レベルという。
【００２４】
表示装置１は、表示する対象となる官公庁情報の官公庁優先レベルと、表示する対象となる民間情報の民間優先レベルとの関係に基づいて、官公庁情報及び民間情報を表示させるタイミングを制御する。表示装置１は、表示する対象となる官公庁情報及び民間情報の内容に応じて適切なタイミングで官公庁情報及び民間情報を表示するように調整できる。その結果、表示システムＳによれば、広告を配信したいと考える民間企業が支払うサービス利用料に見合った情報表示サービスが提供されるので、民間企業がサービスを利用しやすくなる。
【００２５】
［表示装置１の構成］
図２は、表示装置１の構成を示す図である。表示装置１は、表示制御装置１０と、表示部２０とを有する。表示制御装置１０及び表示部２０は、一体の筐体に収容されていてもよく、表示制御装置１０がコンピュータにより構成されており、表示制御装置１０及び表示部２０がそれぞれ別の筐体に収容されていてもよい。
【００２６】
表示制御装置１０は、通信部１１と、記憶部１２と、制御部１３とを有する。
通信部１１は、通信網Ｎを介して情報提供装置４と通信するための通信インターフェイスであり、例えばＬＡＮ（Local Area Network）コントローラを含む。通信部１１は、情報提供装置４から官公庁が発する複数の官公庁情報及び民間企業が発する複数の民間情報を受信する。通信部１１は、官公庁端末２から官公庁情報を直接受信してもよく、民間端末３から民間情報を直接受信してもよい。
【００２７】
記憶部１２は、ＲＡＭ（Random Access Memory）、ＲＯＭ（Read Only Memory）、及びハードディスク等の記憶媒体である。記憶部１２は、制御部１３が実行するプログラムを記憶する。また、記憶部１２は、通信部１１が受信した官公庁情報及び民間情報を一時的に記憶する。
【００２８】
また、記憶部１２は、官公庁情報を表示可能な官公庁用時間帯を決定するための第１情報と、民間情報を表示可能な民間用時間帯を決定するための第２情報とを記憶する。第１情報及び第２情報は、予め情報表示サービスの提供者により定められている。第１情報は、例えば官公庁情報を表示するために割り当てられた時間帯を示す情報であり、第２情報は、民間情報を表示するために割り当てられた時間帯を示す情報である。記憶部１２は、例えば、情報提供装置４から受信した第１情報及び第２情報を記憶する。
【００２９】
第１情報及び第２情報は、官公庁情報及び民間情報のそれぞれを表示する割合を示す情報であってもよい。記憶部１２が第１情報として５０％という数値を記憶し、第２情報として５０％という数値を記憶している場合、表示装置１は、官公庁情報と民間情報とを５０％ずつの割合で表示することになる。
【００３０】
制御部１３は、例えばＣＰＵ（Central Processing Unit）である。制御部１３は、記憶部１２に記憶されたプログラムを実行することにより、特定部１３１及び表示制御部１３２として機能する。
【００３１】
特定部１３１は、通信部１１が受信した複数の官公庁情報の優先レベルを示す官公庁優先レベルを特定する。特定部１３１は、例えば、官公庁情報にメタ情報として含まれている、官公庁情報の種別を示す種別情報に基づいて官公庁優先レベルを特定する。特定部１３１は、官公庁情報に含まれている官公庁優先レベルを示す情報に基づいて官公庁優先レベルを特定してもよい。
【００３２】
図３は、官公庁優先レベルと官公庁情報の内容との関係を示す表である。レベル１は最も優先順位が低く、レベル５は最も優先順位が高い。
【００３３】
特定部１３１は、通信部１１が受信した複数の民間情報の優先レベルを示す民間優先レベルを特定する。特定部１３１は、例えば、民間情報を作成した民間企業が情報表示サービスを利用する際に契約した内容に基づいて民間優先レベルを特定する。
【００３４】
図４は、民間優先レベルと民間情報の内容との関係を示す表である。第１優先レベルであるレベル１は最も優先順位が低く、第２優先レベルであるレベル２は、レベル１よりも優先順位が高い。第３優先レベルであるレベル３は最も優先順位が高い。
【００３５】
レベル２は、例えば標準料金で情報表示サービスを利用する民間企業が作成した民間情報に割り当てられる優先レベルである。レベル１は、レベル２に対応する標準料金よりも安い料金で情報表示サービスを利用する民間企業が作成した民間情報に割り当てられる優先レベルである。レベル３は、レベル２に対応する標準料金よりも高い料金で情報表示サービスを利用する民間企業が作成した民間情報に割り当てられる優先レベルである。
【００３６】
表示制御部１３２は、官公庁優先レベルと民間優先レベルとに基づいて、官公庁情報及び民間情報を表示する時間帯を決定し、決定した時間帯に官公庁情報及び民間情報を官公庁端末２に表示させる。表示制御部１３２は、第１情報及び第２情報により定められる官公庁用時間帯及び民間用時間帯と現在時刻との関係、及び官公庁優先レベル又は民間優先レベルに基づいて、官公庁情報及び民間情報を表示する時間帯を決定する。
【００３７】
図５は、表示制御部１３２が表示部２０に表示させる情報の種別を模式的に示す図である。図５において、Ｋ１はレベル１の官公庁情報、Ｋ２はレベル２の官公庁情報、Ｋ３はレベル３の官公庁情報、Ｋ４はレベル４の官公庁情報、Ｋ５はレベル５の官公庁情報である。Ｍ１はレベル１の民間情報、Ｍ２はレベル２の民間情報、Ｍ３はレベル３の民間情報である。図５におけるＴｎ（ｎは自然数）は、表示時間帯を示している。表示制御部１３２は、例えば３０秒ごとに表示する情報を切り替える。表示制御部１３２は、１つの情報の表示が終わるたびに次の情報に切り替えてもよい。以下、図５を参照しながら、表示制御部１３２の動作について詳細に説明する。
【００３８】
図５（ａ）に示すように、表示制御部１３２は、原則として、官公庁用時間帯に官公庁情報を表示させ、民間用時間帯に民間情報を表示させる。図５における時間帯Ｔ１、Ｔ３、Ｔ５、Ｔ７、Ｔ９は官公庁用時間帯であり、時間帯Ｔ２、Ｔ４、Ｔ６、Ｔ８、Ｔ１０は民間用時間帯である。民間用時間帯においては、民間情報の優先レベルによって表示される頻度が異なり、時間帯Ｔ６、Ｔ８、Ｔ１０で連続して民間情報Ｍ３が表示されているように、表示制御部１３２は、優先レベルが高い民間情報を高い頻度で表示する。
【００３９】
また、表示制御部１３２は、表示装置１の設置位置が含まれる市町村が発する官公庁情報を表示する時間を、設置位置が含まれる都道府県が発する官公庁情報を表示する時間よりも長くする。例えば、表示制御部１３２は、表示装置１が設置されている市町村の役所が発する官公庁情報を表示する時間の割合を全時間帯の１５％、表示装置１が設置されている都道府県の役所が発する官公庁情報を表示する時間の割合を全時間帯の１０％、国の官公庁が発する官公庁情報を表示する時間の割合を全時間帯の５％とする。このようにすることで、表示装置１を視認する人が、自身にとって重要度が高い地域の情報を視認する確率を高めることができる。
【００４０】
官公庁時間帯であっても、表示する対象となる官公庁情報がない場合に表示制御部１３２が表示部２０に何も表示させないとすると、表示装置１の利用率が低下してしまう。そこで、表示制御部１３２は、官公庁用時間帯に表示する官公庁情報がないことを条件として、レベル１の民間情報を官公庁用時間帯に表示させる。例えば、図５（ｂ）において、表示制御部１３２は、Ｔ５の時間帯において官公庁情報がないので、レベル１の民間情報であるＭ１を表示している。このようにすることで、表示する対象となる官公庁情報がない時間帯においても表示装置１が民間情報を表示できるので、表示装置１が有効活用される。
【００４１】
なお、表示制御部１３２がレベル１の民間情報を表示させるタイミングは予測が困難であり、表示される時間の長さも不定である。そこで、レベル１に対応する利用料金は、最も低価格（例えばレベル２の料金の半額）に設定されている。
【００４２】
また、表示制御部１３２は、官公庁優先レベルが所定のレベル以上の官公庁情報がない場合に、第１優先レベルよりも高い優先レベルである第２優先レベルの民間情報を民間用時間帯に表示させる。そして、表示制御部１３２は、官公庁優先レベルが所定のレベル以上の官公庁情報がある場合に、当該官公庁情報を民間用時間帯に表示させる。例えば、表示制御部１３２は、レベル３以上の官公庁情報が表示する対象となっていない場合、民間用時間帯にはレベル２又はレベル３の民間情報を表示させる。そして、表示制御部１３２は、図５（ｃ）の時間帯Ｔ４のように、レベル３以上の官公庁情報が表示する対象になっている場合、民間用時間帯であってもレベル２の民間情報を表示させず、官公庁情報を優先的に表示させる。
【００４３】
このようにすることで、表示制御部１３２は、民間用時間帯においても、重要な官公庁情報を表示部２０に表示させることができる。レベル３以上の官公庁情報が発生する頻度は、レベル２以下の官公庁情報が発生する頻度に比べて低いので、レベル２の民間情報が表示される時間の長さは、民間用時間帯の長さにほぼ等しい。そこで、レベル２に対応する利用料金は、レベル１に対応する利用料金よりも高く設定されている。
【００４４】
図５（ｃ）の時間帯Ｔ６のように、表示制御部１３２は、民間用時間帯においてレベル３の民間情報が表示する対象になっており、かつ通信部１１がレベル３の官公庁情報を受信した場合、レベル３の民間情報に重ねてレベル３の官公庁情報を表示させる。表示制御部１３２は、例えば、レベル３の民間情報を表示する画面においてテロップとしてレベル３の官公庁情報を表示させる。このようにすることで、優先度が高い民間情報は、優先度が高い官公庁情報が発生した場合にも表示部２０に表示される。このように、レベル３の民間情報は予定通りに表示される確率が高いので、レベル３に対応する利用料金は、レベル２に対応する利用料金よりも高く設定されている。
【００４５】
ただし、図５（ｃ）の時間帯Ｔ８のように、表示制御部１３２は、民間用時間帯においてレベル３の民間情報が表示する対象になっており、かつ通信部１１がレベル４又はレベル５の官公庁情報を受信した場合、民間用時間帯であっても、レベル３の民間情報を表示させず、レベル４又はレベル５の官公庁情報を表示させてもよい。このように、表示制御部１３２は、民間用時間帯に表示可能にする官公庁情報の優先レベルを、民間企業が支払う利用料金に対応する民間情報の優先レベルに基づいて決定することで、サービスを利用する民間企業の公平性を確保することができる。
【００４６】
［表示装置１の基本動作フローチャート］
図６は、表示制御部１３２の動作フローチャートである。図６に示すフローチャートの動作は、表示制御部１３２が表示部２０に表示させる情報を切り替えるタイミングで開始される。
【００４７】
表示制御部１３２は、現時点が官公庁用時間帯であるか否かを判定する（Ｓ１）。表示制御部１３２は、官公庁用時間帯である場合（Ｓ１においてＹＥＳ）、表示する対象となっている官公庁情報があるか否かを判定する（Ｓ２）。表示制御部１３２は、表示する対象となっている官公庁情報がある場合（Ｓ２においてＹＥＳ）、表示する対象となっている官公庁情報を表示部２０に表示させる（Ｓ３）。表示する対象となっている官公庁情報が複数ある場合、表示制御部１３２は、最も優先レベルが高い官公庁情報を表示してもよい。表示制御部１３２は、表示する対象となっている官公庁情報がない場合（Ｓ２においてＮＯ）、レベル１の民間情報（Ｍ１）を表示させる（Ｓ４）。
【００４８】
表示制御部１３２は、ステップＳ１において現時点が民間用時間帯であると判定した場合（Ｓ１においてＮＯ）、レベル２の民間情報（Ｍ２）を表示させる時間帯であるか否かを判定する（Ｓ５）。表示制御部１３２は、レベル２の民間情報を表示させる時間帯であると判定した場合、表示する対象となっているレベル３以上の官公庁情報があるか否かを判定する（Ｓ６）。表示制御部１３２は、レベル３以上の官公庁情報があると判定した場合（Ｓ６においてＹＥＳ）、レベル２の民間情報を表示する時間帯であるとしてもレベル３以上の官公庁情報を民間端末３に表示させる（Ｓ７）。表示制御部１３２は、レベル３以上の官公庁情報がないと判定した場合（Ｓ６においてＮＯ）、レベル２の民間情報を表示部２０に表示させる。
【００４９】
表示制御部１３２は、ステップＳ５においてレベル２の民間情報を表示させる時間帯でないと判定した場合、すなわちレベル３の民間情報（Ｍ３）を表示させる時間帯であると判定した場合（Ｓ５においてＮＯ）、表示する対象となっているレベル３以上の官公庁情報があるか否かを判定する（Ｓ９）。表示制御部１３２は、レベル３以上の官公庁情報があると判定した場合（Ｓ９においてＹＥＳ）、レベル３以上の官公庁情報を表示させる（Ｓ１０）。この際、官公庁情報の優先レベルがレベル３である場合は、レベル３の民間情報を表示させつつ、レベル３の官公庁情報をテロップで表示する。官公庁情報の優先レベルがレベル４又はレベル５である場合は、レベル３の民間情報を表示させず、官公庁情報のみを表示部２０に表示させる。
【００５０】
表示制御部１３２は、ステップＳ９においてレベル３以上の官公庁情報がないと判定した場合（Ｓ９においてＮＯ）、レベル３の民間情報を表示部２０に表示させる。表示制御部１３２は、民間情報又は官公庁情報を表示させた後に、表示を終了する指示を受信したか否かを確認する（Ｓ１２）。表示制御部１３２は、表示を終了しないと判定した場合（Ｓ１２においてＮＯ）、ステップＳ１に戻る。表示制御部１３２は、表示を終了すると判定した場合（Ｓ１２においてＹＥＳ）、図６に示す動作を終了する。
【００５１】
［表示装置１の設置位置を考慮した動作］
上記の説明において、特定部１３１は、官公庁情報の種別を示す種別情報に基づいて官公庁優先レベルを特定するものとしたが、特定部１３１は、官公庁情報が関連する地域と表示装置１の設置位置との関係に基づいて、官公庁情報の官公庁優先レベルを特定してもよい。官公庁情報が例えば火災警報である場合、官公庁情報が関連する地域は火災が発生した地域である。官公庁情報が地震情報である場合、官公庁情報が関連する地域は所定の大きさ以上の震度が予測される地域又は所定の大きさ以上の震度が観測された地域である。
【００５２】
図７は、官公庁情報が関連する地域と表示装置１の設置位置との関係に基づいて官公庁情報の優先レベルを特定する動作のフローチャートである。特定部１３１は、官公庁情報を取得すると（Ｓ２１）、官公庁情報が関連する地域を特定する（Ｓ２２）。続いて、特定部１３１は、例えば記憶部１２に記憶されている表示装置１の設置位置を示す情報を参照して、官公庁情報が関連する地域と表示装置１の設置位置との距離を特定する（Ｓ２３）。
【００５３】
特定部１３１は、特定した距離が所定の閾値以下であるか否かを判定する（Ｓ２４）。特定部１３１は、特定した距離が所定の閾値以下であると判定した場合（Ｓ２４においてＹＥＳ）、官公庁情報の種別に対応する優先レベル（例えば図３に示した優先レベル）よりも高い優先レベルに上げる（Ｓ２５）。例えば、官公庁情報が火災情報であり、火災が発生した場所が表示装置１から５００ｍ以内である場合、特定部１３１は、当該官公庁情報の優先レベルをレベル４からレベル５に上げる。特定部１３１は、特定した距離が短ければ短いほど優先レベルを上げる量を大きくしてもよい。このようにすることで、表示装置１を視認する人にとって重要度が高い情報の優先レベルが上がるので、重要度が高い情報が視認される確率が高まる。
【００５４】
［官公庁情報に関連する事象が影響する地域を考慮した動作］
特定部１３１は、官公庁情報が示す事象が影響する地域の推移予測結果に基づいて、官公庁情報の官公庁情報の優先レベルを特定してもよい。官公庁情報が、例えば、放射性物質を扱う設備の故障等に伴う放射性物質警報であるとする。この場合、風の向きによって放射性物質が到達する地域が変化する。特定部１３１は、表示装置１の設置位置に放射性物質が到達する確率に基づいて官公庁情報の優先レベルを特定する。
【００５５】
図８は、官公庁情報に関連する事象が影響する地域に基づいて官公庁情報の優先レベルを特定する動作のフローチャートである。特定部１３１は、官公庁情報を取得すると（Ｓ３１）、官公庁情報に関連する事象が影響する地域を推定する（Ｓ３２）。続いて、特定部１３１は、記憶部１２に記憶されている表示装置１の設置位置を示す情報を参照して、官公庁情報に関連する事象が表示装置１から所定の範囲内に影響するか否かを判定する（Ｓ３３）。特定部１３１は、例えば気象情報を取得し、官公庁情報が示す放射性物質の発生源の位置と風向き及び風の強さとに基づいて、放射性物質が到達する地域の推移状況を予測する。そして、特定部１３１は、予測した結果に基づいて、表示装置１の設置位置まで放射性物質が到達する確率を推定する。
【００５６】
特定部１３１は、官公庁情報に関連する事象が表示装置１から所定の範囲内に影響すると判定した場合（Ｓ３３においてＹＥＳ）、官公庁情報の内容に対応する優先レベルよりも高い優先レベルに上げる（Ｓ３４）。特定部１３１は、官公庁情報に関連する事象が表示装置１から所定の範囲内に影響する確率、又は影響の大きさの少なくともいずれかに基づいて、優先レベルを上げる量を決定してもよい。特定部１３１は、官公庁情報に関連する事象が表示装置１から所定の範囲内に影響しないと判定した場合（Ｓ３３においてＮＯ）、ステップＳ３１に戻る。
【００５７】
［表示する対象区域の指定］
官公庁情報及び民間情報に、表示する対象となる区域を特定するための表示区域情報が含まれており、表示制御部１３２は、表示装置１の設置位置が、表示区域情報が示す区域に含まれているか否かよって、官公庁情報及び民間情報を表示するか否かを判定してもよい。このようにすることで、官公庁情報及び民間情報の作成者が希望する区域の人に情報を伝えることが可能になる。
【００５８】
なお、以上の説明において、記憶部１２が設置位置を示す情報を記憶している場合を例示したが、表示装置１がＧＰＳ（Global Positioning System）受信機を有しており、特定部１３１は、ＧＰＳ衛星から受信した電波に基づいて表示装置１の設置位置を特定してもよい。
【００５９】
［表示装置１による効果］
以上説明したように、表示装置１においては、特定部１３１が、官公庁が発する複数の官公庁情報の優先レベルを示す官公庁優先レベルを特定し、かつ民間企業が発する複数の民間情報の優先レベルを示す民間優先レベルを特定する。そして、表示制御部１３２は、官公庁優先レベルと民間優先レベルとに基づいて、官公庁情報及び民間情報を表示する時間帯を決定し、決定した時間帯に官公庁情報及び民間情報を表示部２０に表示させる。このような構成により、官公庁が発する情報と民間企業等の広告主が発する情報とを表示する際の優先順位を調整可能にすることができるので、表示する対象となっている官公庁情報及び民間情報の優先順位に基づいて、表示装置１を有効活用することができる。
【００６０】
以上、本発明の実施の形態、およびいくつかの実施の形態をもとに説明した。これらの任意の組み合わせによって生じる新たな実施の形態も、本発明の実施の形態に含まれる。組み合わせによって生じる新たな実施の形態の効果は、もとの実施の形態の効果を合わせ持つ。また本発明の技術的範囲は上記実施の形態に記載の範囲には限定されず、その要旨の範囲内で種々の変形及び変更が可能である。
【符号の説明】
【００６１】
Ｓ  表示システム
１  表示装置
２  官公庁端末
３  民間端末
４  情報提供装置
１０  表示制御装置
１１  通信部
１２  記憶部
１３  制御部
２０  表示部
１３１  特定部
１３２  表示制御部
【図１】
2019105815.tif 000003
【図２】
2019105815.tif 000004
【図３】
2019105815.tif 000005
【図４】
2019105815.tif 000006
【図５】
2019105815.tif 000007
【図６】
2019105815.tif 000008
【図７】
2019105815.tif 000009
【図８】
2019105815.tif 000010